(57)【要約】【課題】ファスナーテープを使用しないで被取付基材へ直接的に融着するため、ファスナーエレメントの安易な抜け落が危惧される。【解決手段】基端部１ｂ、１ｂ…に、張出部１ｃ、１ｃ…を一体的に連設せしめる。張出部１ｃ，１ｃ…は、噛合部１ａと反対方向に延出すると共に、スライダー３を構成する上板３ａと下板３ｂとの間に形成された通路内に摺動自在に嵌挿できるように段差状に延出し、基端部１ｂのみの融着ではなく、張出部１ｃも被取付基材２に融着せしめる。張出部１ｃ，１ｃ…の大きさ分だけ被取付基材２に対する融着面積が拡大し、同被取付基材２への接合性が向上する結果、ファスナーエレメント１の安易な抜け落ちを阻止できる。【選択図】  図１
2005348930.tif 000002
【特許請求の範囲】
【請求項１】
噛合部と基端部とを備えてスライドファスナー用スライダーを往復動作自在に装着せしめるファスナーエレメントにおいて、前記基端部は、被取付基材への接合性を向上させる張出部を備えてなることを特徴とするファスナーエレメント。
【請求項２】
前記張出部は、噛合部と反対方向に延出すると共に、被取付基材に取り付けた際、スライドファスナー用スライダーを構成する上板と下板との間に形成された通路内に摺動自在に嵌挿されることを特徴とする請求項１に記載のファスナーエレメント。
【発明の詳細な説明】
【技術分野】
【０００１】
本発明は、主として袋物やカバー材に使用されるファスナーエレメントの改良に関し、更に詳しくは、被取付基材への接合性を向上させた有用なファスナーエレメントに関する。
【背景技術】
【０００２】
従来、斯かるファスナーエレメントとしては、例えば、特開２０００−４９１２号公報に開示のものが従来例として既に周知である。この従来のファスナーエレメント１，１…は、図６乃至７に示すように、被取付基材２，２の端縁に基端部１ｂが融着されている（特許文献１参照）。
【特許文献１】特開２０００−４９１２号公報
【発明の開示】
【発明が解決しようとする課題】
【０００３】
しかしながら、上述した２０００−４９１２号公報に開示のファスナーエレメント１，１…にあっては、特に、ファスナーテープ（図示せず）を使用しないで被取付基材２へ直接的に融着するため、ファスナーエレメント１，１…が安易に抜け落ちてしまうことが危惧されるものである。
【０００４】
本発明はこのような従来の問題点に鑑みてなされたもので、被取付基材に融着される面積を拡げることでファスナーエレメントの安易な抜け落ちを確実に防止することができるファスナーエレメントを提供することを目的としたものである。
【課題を解決するための手段】
【０００５】
上述の如き従来の問題点を解決し、所期の目的を達成するため本発明の要旨とする構成は、噛合部と基端部とを備えてスライドファスナー用スライダーを往復動作自在に装着せしめるファスナーエレメントにおいて、前記基端部は、被取付基材への接合性を向上させる張出部を備えてなるファスナーエレメントに存する。
【０００６】
また、前記張出部は、噛合部と反対方向に延出すると共に、被取付基材に取り付けた際、スライドファスナー用スライダーを構成する上板と下板との間に形成された通路内に摺動自在に嵌挿されるのが良い。
【発明の効果】
【０００７】
本発明のファスナーエレメントは、上述のように構成され、前記基端部が、被取付基材への接合性を向上させる張出部を備えてなることによって、仮令、被取付基材に直接的に融着しても、被取付基材に融着される面積が拡大するため、被取付基材への接合性が向上し、ファスナエレメントとしての商品価値を高めることができるといった効果を奏する。
【０００８】
また、前記張出部を噛合部と反対方向に延出すると共に、被取付基材に取り付けた際、スライドファスナー用スライダーを構成する上板と下板との間に形成された通路内に摺動自在に嵌挿されることによって、張出部が邪魔になることなく前記スライドファスナー用スライダーを円滑に操作することができるといった効果を奏するものである。
【０００９】
このように本発明は、従来のファスナーテープを不要とすべくファスナーエレメントを直接的に被取付基材に取り付けても、安易に抜け落ちることがなく、また、構成が単純であるため、大量生産に適し、価格も低廉なものとして需要者に供給できる等、本発明を実施することはその実益的価値が甚だ大である。
【発明を実施するための最良の形態】
【００１０】
ファスナーエレメントを構成する基端部に、被取付基材への接合性を向上させる張出部を備える。この張出部は、噛合部と反対方向に延出すると共に、被取付基材に取り付けた際、スライドファスナー用スライダーを構成する上板と下板との間に形成された通路内に摺動自在に嵌挿できるように形成する。
【実施例】
【００１１】
次に、本発明に係るファスナーエレメントの実施の一例を図面を参照しながら説明する。図中Ａは、本発明に係るファスナーエレメントを装着してなる被覆電線Ｂ，Ｂ…の保護カバー材（以下、単に被取付基材２という）であり、この被取付基材２の両側端に、ファスナーエレメント１，１…が取り付けされている。
【００１２】
このファスナーエレメント１，１…は、噛合部１ａと基端部１ｂとを備えてなり、前記基端部１ｂ，１ｂ…が所定ピッチで被取付基材２，２の端縁２ａ，２ａに跨架すべく射出成形されるものであり、スライドファスナー用スライダー（以下、単にスライダー３という）（図４参照）の往復動作にて着脱自在に噛合される。
【００１３】
また、各基端部１ｂ、１ｂ…には、図３乃至図４に示すように、張出部１ｃ、１ｃ…が一体的に連設されている。この張出部１ｃ，１ｃ…は、噛合部１ａと反対方向に延出すると共に、スライダー３を構成する上板３ａと下板３ｂとの間に形成された通路内に摺動自在に嵌挿できるように段差状に延出されている（図４参照）。
【００１４】
また、このファスナーエレメント１，１…は、例えば、ナイロン、ポリエステル等の合成樹脂材からなり、所定温度に加熱されるだけで、被取付基材２に堅固に融着されている。
【００１５】
すなわち、本発明のファスナーエレメント１，１…は、従来の如き基端部１ｂ（図６参照）のみの融着ではなく、図２乃至図５に示すように、張出部１ｃも被取付基材２に融着させるため、被取付基材２に対する融着面積が拡大し、同被取付基材２への接合性(接着性、止着性及び／又は整合性)が向上する結果、ファスナーエレメント１の安易な抜け落ちを阻止できると共に、基端部１ｂのズレに起因する噛合部１ａとスライダー３との不整合性（引っかかり）をも阻止できるのである。
【００１６】
尚、被取付基材２の素材としては、ファスナーエレメント１，１…と同様、ナイロン、ポリエステル等が挙げられるが、同エレメント１，１…との相性としては、これらの何れかを選択し又は組み合わせて使用するのが良い。
【００１７】
このように構成される本発明に係るファスナエレメント１，１…は、袋物等の被取付基材２の側縁（取付部位）に融着（射出成形）するだけで、前述したように簡単かつ堅固に取り付けできるため、従来の如きファスナーテープ（図示せず）が不要になるのみならず、従来のファスナーエレメント（図８参照）に比して、より堅固に取り付けできるといった利点を有する。
【００１８】
尚、本発明に係るファスナーエレメントは、本実施例に限定されることなく、本発明の目的の範囲内で自由に設計変更し得るものであり、本発明はそれらの全てを包摂するものである。
【００１９】
例えば、本実施例にあっては、ファスナーエレメント１，１…を、ナイロン、ポリエステル等の合成樹脂材で形成しているが、これに限定されることなく、熱可塑性エラストマーを混合した素材（混合材料）で形成しても良い。
【００２０】
因に、斯かる熱可塑性エラストマーとして、例えば、ポリエステル系熱可塑性エラストマーが好ましい。蓋し、ＡＢＳ樹脂、ＰＣ(ポリカボネート)、ＰＭＭＡ等の硬質樹脂との熱融着も可能になり、用途が広がるからである。
【００２１】
また、本実施例にあっては、張出部１ｃが基端部１ｂ幅と同様に噛合部１ａと反対方向に延長しているが、これに限定されることなく、隣接するファスナーエレメント１，１…と干渉しない範囲で張出部１ｃの幅寸を拡径したり、また、縮径しても良い。
【００２２】
また、本発明のファスナーエレメントは、本実施例で示した被覆電線Ｂ，Ｂ…の保護カバー材用として限定されるものではなく、袋物、文房具類、鞄、被服類、その他、全ての被取付基材に使用されるものであり、本発明はこれらの全てを包摂するものである。
【図面の簡単な説明】
【００２３】
【図１】本発明に係るファスナーエレメントを被覆電線の保護カバー材（被取付基材）に使用した状態を示す斜視図である。
【図２】同保護カバー材の正面図である。
【図３】同保護カバー材の側面図である。
【図４】本発明に係るファスナーエレメントとスライダーとの関係を示す説明図である。
【図５】従来のファスナーエレメントを同被取付基材に使用した状態を示す斜視図である。
【図６】同保護カバー材の正面図である。
【図７】同保護カバー材の側面図である。
【図８】従来のファスナーエレメントとスライダーとの関係を示す説明図である。
【符号の説明】
【００２４】
１  ファスナーエレメント
１ａ  噛合部
１ｂ  基端部
１ｃ  張出部
２  被取付基材
３  スライダー
３ａ  上板
３ｂ  下板
４  引手
【図１】
2005348930.tif 000003
【図２】
2005348930.tif 000004
【図３】
2005348930.tif 000005
【図４】
2005348930.tif 000006
【図５】
2005348930.tif 000007
【図６】
2005348930.tif 000008
【図７】
2005348930.tif 000009
【図８】
2005348930.tif 000010